(57)【特許請求の範囲】
【請求項１】
底板上にそれぞれ配置された圧縮機及び熱交換器と、
前記圧縮機が配置された機械室と前記熱交換器が配置された送風室とを仕切る仕切板を
備え、
前記仕切板が、
室外機正面側に配置された第１領域と、
前記第１領域よりも室外機背面側に配置され、後方に向かうにつれて前記第１領域より
も前記機械室側に延在する第２領域と、
前記第２領域後端の上端部に配置された第１固定部と、
前記第１領域前端の下端部に配置され、かつ、前記底板に固定される第２固定部とを有
しており、
前記底板が、前記第１領域の下端部を所定の固定位置に位置決めをするための位置決め
部を有しており、
前記位置決め部が、前記底板の長手方向に沿って設けられた凸部の端部によって構成さ
れ、
前記凸部の端部は、前記第１領域よりも前記送風室側に配置され、前記第１領域の下端部に当接することを特徴とする室外機。
【発明の詳細な説明】
【技術分野】
【０００１】
本発明は、圧縮機及び熱交換器を備えた室外機に関するものである。
【背景技術】
【０００２】
空気調和機の室外機は圧縮機と熱交換器とを備えており、その圧縮機や熱交換器は室外
機の底板上に固定される。そして、室外機では、熱交換器が配置された送風室と、圧縮機
が配置された機械室とが仕切板によって仕切られている。仕切板には、室外機の前側にお
いて底板にねじで固定されるとともに、室外機の背面側において熱交換器の上部にねじで
固定されるものがある。
【先行技術文献】
【特許文献】
【０００３】
【特許文献１】特開２０１１−１０６７５６
【発明の概要】
【発明が解決しようとする課題】
【０００４】
室外機の組み立て時において、まず室外機の背面側において仕切板の上部を、底板上に
固定された熱交換器の上部にねじで固定した後で、仕切板の下端部を室外機の前側におい
て底板にねじで固定される場合がある。この場合、仕切板の上部を熱交換器の上部に固定
するときの力によって、仕切板の下端部が固定位置からずれてしまう。したがって、仕切
板の下端部を室外機の前側において底板にねじで固定するときに、仕切板の下端部のねじ
穴と底板のねじ穴を一致させた後でねじ固定する必要があり、作業性が悪い。
【０００５】
そこで、本発明の目的は、組み立て時の作業性を向上させることができる室外機を提供
することである。
【課題を解決するための手段】
【０００６】
第１の発明にかかる室外機は、底板上にそれぞれ配置された圧縮機及び熱交換器と、前
記圧縮機が配置された機械室と前記熱交換器が配置された送風室とを仕切る仕切板を備え
、前記仕切板が、室外機正面側に配置された第１領域と、前記第１領域よりも室外機背面
側に配置され、後方に向かうにつれて前記第１領域よりも前記機械室側に延在する第２領
域と、前記第２領域後端の上端部に配置された第１固定部と、前記第１領域前端の下端部
に配置され、かつ、前記底板に固定される第２固定部とを有しており、前記底板が、前記
第１領域の下端部を所定の固定位置に位置決めをするための位置決め部を有しており、前
記位置決め部が、前記底板の長手方向に沿って設けられた凸部の端部によって構成され、
前記凸部の端部は、前記第１領域よりも前記送風室側に配置され、前記第１領域の下端部
に当接することを特徴とする。
【０００７】
この室外機では、底板が、仕切板の下端部を所定の固定位置に位置決めをするための位
置決め部を有しているので、仕切板の下端部を室外機の前側において底板にねじで固定す
るときに、仕切板の下端部のねじ穴と底板のねじ穴が一致している。したがって、例えば
室外機の組み立て時において、まず室外機の背面側において仕切板の上部を、底板上に固
定された熱交換器の上部にねじで固定した後で、仕切板の下端部を室外機の前側において
底板にねじで固定される場合であって、仕切板の下端部を室外機の前側において底板にね
じで固定するときに、仕切板の下端部のねじ穴と底板のねじ穴を一致させる必要がなく、
作業性が向上する。
また、この室外機では、位置決め部が底板の強度を増加させるために底板の長手方向に
沿って設けられた凸部の端部によって構成されるので、位置決め部を凸部の長さを長くす
るだけで容易に構成できる。
【０００８】
【０００９】
【発明の効果】
【００１０】
以上の説明に述べたように、本発明によれば、以下の効果が得られる。
【００１１】
第１の発明では、底板が、仕切板の下端部を所定の固定位置に位置決めをするための位
置決め部を有しているので、仕切板の下端部を室外機の前側において底板にねじで固定す
るときに、仕切板の下端部のねじ穴と底板のねじ穴が一致している。したがって、例えば
室外機の組み立て時において、まず室外機の背面側において仕切板の上部を、底板上に固
定された熱交換器の上部にねじで固定した後で、仕切板の下端部を室外機の前側において
底板にねじで固定される場合であって、仕切板の下端部を室外機の前側において底板にね
じで固定するときに、仕切板の下端部のねじ穴と底板のねじ穴を一致させる必要がなく、
作業性が向上する。
また、この室外機では、位置決め部が底板の強度を増加させるために底板の長手方向に
沿って設けられた凸部の端部によって構成されるので、位置決め部を凸部の長さを長くす
るだけで容易に構成できる。
【００１２】
【図面の簡単な説明】
【００１３】
【図１】本発明の実施形態に係る空気調和機の概略構成を示す図である。
【図２】空気調和機の回路図である。
【図３】室外機からグリルを取り外した状態を示す斜視図である。
【図４】図３の室外機からケーシングの前板および天板を取り外した状態の斜視図である。
【図５】室外機底板の上面図である。
【図６】仕切板の斜視図である。
【図７】仕切板の上面図である。
【図８】仕切板の正面図である。
【図９】室外機底板に対して仕切板が固定された状態を示す上面図である。
【図１０】室外機底板に対して仕切板が固定される状態を示す正面図である。
【発明を実施するための形態】
【００１４】
以下、図面を参照しつつ本発明の実施の形態について説明する。
【００１５】
［空気調和機１０の概要］
図１に示すように、本実施形態の空気調和機１０は、室内に設置される室内機２０と屋
外に設置される室外機３０とが連絡配管１２によって接続されて構成されている。空気調
和機１０は、冷房運転、暖房運転、加湿運転、除湿運転、給気運転などの複数の運転モー
ドを有しており、これらの運転モードは適宜組み合わせて実施することもできる。
【００１６】
冷房運転および暖房運転では、室外機３０から送られた冷媒と室内空気とを室内機２０
の室内熱交換器２１において熱交換させて、室内空気を冷却または加熱する。また、加湿
運転では、室外機３０の加湿ユニット６０において、外気から水分を取り込んで加湿空気
を生成し、この加湿空気を室内機２０に供給する。給気運転では、外気を加湿せずに室内
機２０に供給する。
【００１７】
図２に示すように、空気調和機１０は、室外機３０と室内機２０の間で冷媒を循環させ
る冷媒回路を有している。この冷媒回路は、室内機２０の室内熱交換器２１、室外機３０
の圧縮機３１、四路切換弁３２、室外熱交換器３３、電動弁３４、アキュムレータ３５、
液閉鎖弁３６、およびガス閉鎖弁３７が接続されて構成されている。また、連絡配管１２
の中には、室内熱交換器２１と液閉鎖弁３６とを接続する液冷媒配管１４、および、室内
熱交換器２１とガス閉鎖弁３７とを接続するガス冷媒配管１６が収容されている。
【００１８】
冷房運転時には、四路切換弁３２は図２中、実線の状態になっており、圧縮機３１で圧
縮された冷媒は、四路切換弁３２を介して室外熱交換器３３に供給される。室外熱交換器
３３において外気との熱交換により熱を奪われた冷媒は、電動弁３４で減圧された後、液
閉鎖弁３６、および液冷媒配管１４を順に通って室内熱交換器２１に供給される。室内熱
交換器２１において室内空気との熱交換により温度が上昇した冷媒は、ガス冷媒配管１６
、ガス閉鎖弁３７、四路切換弁３２、アキュムレータ３５とを順に通って圧縮機３１に戻
される。
【００１９】
暖房運転時には、四路切換弁３２は図２中、点線の状態になっており、圧縮機３１で圧
縮された冷媒は、四路切換弁３２、ガス閉鎖弁３７、ガス冷媒配管１６を順に通って、室
内熱交換器２１に供給される。室内熱交換器２１において室内空気との熱交換により熱が
奪われた冷媒は、液冷媒配管１４、液閉鎖弁３６を順に通過した後、電動弁３４で減圧さ
れて、その後、室外熱交換器３３に供給される。室外熱交換器３３において外気との熱交
換により温度が上昇した冷媒は、アキュムレータ３５を介して圧縮機３１に戻される。
【００２０】
図２に示すように、室内機２０は、室内熱交換器２１に加えて、クロスフローファンか
らなる室内ファン２２を備えている。室内ファン２２が駆動されると、室外機３０の上部
の吸込口２３から室内空気が吸い込まれて、室内熱交換器２１を通過した後、吹出口２４
から室内に吹き出される。
【００２１】
また、室内機２０は、連絡配管１２内に収容された加湿ダクト１８を介して、室外機３
０の加湿ユニット６０に接続されている。加湿ダクト１８の給気口２５は、空気の流れ方
向に関して室内熱交換器２１の上流側に配置されている。加湿運転時には、室外機３０か
ら加湿ダクト１８を介して加湿空気が供給された状態で、室内ファン２２が駆動されるこ
とで、吹出口２４から加湿空気が室内に吹き出される。
【００２２】
［室外機３０の構成］
室外機３０は、ケーシング４０と、ケーシング４０の前面に取り付けられたグリル５６
とを有する。図１および図４に示すように、ケーシング４０の内部は、仕切板４３によっ
て送風室４１と機械室４２とに仕切られており、送風室４１内には、室外熱交換器３３と
、室外ファン３９と、加湿ユニット６０とが配置されており、機械室４２内には、圧縮機
３１、四路切換弁３２、電動弁３４、およびアキュムレータ３５が配置されている。なお
、以下の説明において、室外機３０を正面から見たときの左右方向、前後方向、上下方向
を、それぞれ単に左右方向、前後方向、上下方向と称する。
【００２３】
図３に示すように、ケーシング４０は、略直方体状であって、前板４６、後板（図示省
略）と、右側板４７、左側板５１（図４参照）、天板４８、および室外機底板４９で構成
されている。
【００２４】
前板４６には、円形状の吹出口４６ａが形成されている。吹出口４６ａは、前板４６の
左右方向中央部より左寄りに形成されている。吹出口４６ａの周囲には、リング状のベル
マウス５２が取り付けられている。
【００２５】
後板は、右端以外の大部分が開口しており、この開口部には図示しない保護金網が取り
付けられている。また、左側板５１には、格子状の開口部（図示省略）が形成されている
。後板と左側板５１の開口部が、ケーシング４０内に外気を取り込む吸込口を構成してい
る。
【００２６】
図４に示すように、仕切板４３は、室外機底板４９に設置されており、上下方向に延び
ている。仕切板４３の上端の高さは、ケーシング４０の側板の上端の高さよりも低い。仕
切板４３は、上方から見て、後板の右端部から湾曲して前板４６まで延びている。仕切板
４３の左側が送風室４１であって、仕切板４３の右側が機械室４２である。
【００２７】
室外熱交換器３３は、上方から見て略Ｌ字状であって、ケーシング４０の左側板５１と
後板に沿って配置されている。室外熱交換器３３は、室外機底板４９に設置されており、
上下方向に延びている。室外熱交換器３３の上端の高さは、ケーシング４０の側板の上端
の高さとほぼ同じである。
【００２８】
室外ファン３９は、プロペラファンであって、ファンモータ３９ａで駆動される。ファ
ンモータ３９ａは、室外ファン３９の後方に配置される。ファンモータ３９ａは、ファン
モータ支持部材に支持されている。
【００２９】
室外ファン３９が駆動されると、後板の吸込口と左側板５１の吸込口（図示省略）とか
ら外気が吸い込まれて、室外熱交換器３３を通過した後、前板４６の吹出口４６ａから吹
き出される。
【００３０】
［室外機底板４９の構成］
室外機底板４９は、略長方形の板状部材であって、圧縮機３１や室外熱交換器３３等が
固定されるとともに、送風室４１と機械室４２とを仕切る仕切板４３が固定される。室外
機底板４９の外周部には、上方に向かって延在する壁部４９ａが設けられる。室外機底板
４９は、その前端近くにおいて、強度を増加させるために底板４９の長手方向に沿って設
けられた凸部８１を有している。凸部８１は、上方に向かって底板４９から突出する。そ
して、凸部８１の機械室４２側の端部８２が、仕切板４３の下端部を所定の固定位置に位
置決めをするための位置決め部である。また、室外機底板４９は、仕切板４３が固定され
るときに使用される突起８３を有している。したがって、仕切板４３が底板４９に固定さ
れるときに、突起８３が仕切板４３の開口９８ａ内に配置される。
【００３１】
［仕切板４３の構成］
仕切板４３は、図６、図７、図８に示すように、平面部９１と、湾曲部９２とを有して
いる。平面部９１は、仕切板４３が室外機底板４９に固定されたときに、前方から後方に
向かって延在する部分であって、その前端には、右方に曲げられた曲げ部９３が設けられ
ている。湾曲部９２は、平面部９１の後端から右方に湾曲した部分である。仕切板４３は
、その上端部に配置された第１固定部としてのねじ穴９５と、その下端部に配置され、か
つ、室外機底板４９に固定される第２固定部としてのねじ穴９４とを有している。ねじ穴
９４は、仕切板４３の曲げ部９３の下端部に配置される。ねじ穴９４は、仕切板４３が底
板４９に対して所定の固定位置に配置された場合に、室外機底板４９の壁部４９ａのねじ
穴８５と一致するように構成される。また、ねじ穴９５は、室外熱交換器３３に固定する
ためのものであって、湾曲部９２の右端部の上部に配置される。ねじ穴９５は、仕切板４
３が室外熱交換器３３に対して所定の固定位置に配置された場合に、室外熱交換器３３の
ねじ穴（図示省略）と一致するように構成される。
【００３２】
そして、平面部９１の下端部の外側には、幅広部９７が設けられるとともに、湾曲部９
２の下端部の外側には、幅広部９８が設けられる。幅広部９７は、仕切板４３が室外機底
板４９に固定されるときに、位置決め部である凸部８１の端部８２に当接する部分である
。したがって、図９、図１０に示すように、仕切板４３の幅広部９７の先端が、室外機底
板４９の凸部８１の端部８２に当接することによって、仕切板４３の下端部が、左方に移
動するのが防止される。幅広部９８は、仕切板４３が室外機底板４９に固定されるときに
、室外機底板４９の突起８３が嵌合される開口９８ａを有している。したがって、図９に
示すように、室外機底板４９の突起８３が開口９８ａ内に嵌合された状態で、仕切板４３
が室外機底板４９に固定される。
【００３３】
［仕切板４３の室外機底板４９に固定する方法］
室外機３０の組み立て時において、圧縮機３１と室外熱交換器３３とが室外機底板４９
に対して固定された後で、仕切板４３が室外機底板４９に対して固定される。まず、室外
機底板４９の突起８３が仕切板４３の開口９８ａ内に嵌合されるとともに、仕切板４３の
下端部の幅広部９７の先端が、室外機底板４９の凸部８１の端部８２に当接または右方に
配置されるように、仕切板４３を室外機底板４９上に配置する。この状態で、仕切板４３
の上端部のねじ穴９５を、室外熱交換器３３の上端部のねじ穴（図示省略）に一致させて
、ねじによって仕切板４３の上端部を室外熱交換器３３の上端部に固定する。その後、ね
じによって仕切板４３の下端部を室外機底板４９に固定する。このとき、仕切板４３の幅
広部９７の先端が、室外機底板４９の凸部８１の端部８２に当接しており、仕切板４３の
下端部のねじ穴９４が、室外機底板４９の壁部４９ａのねじ穴８５と一致している。
【００３４】
［本実施形態の室外機３０の特徴］
本実施形態の室外機３０には、以下の特徴がある。
【００３５】
この室外機３０では、室外機３０の組み立て時において、仕切板４３を室外機底板４９
に対して固定するときに、仕切板４３の幅広部９７の先端が、室外機底板４９の凸部８１
の端部８２に当接しており、仕切板４３の下端部を所定の固定位置に位置決めをすること
ができる。したがって、室外機の前面側において仕切板４３の下端部を室外機底板４９に
ねじで固定するときに、仕切板４３の下端部のねじ穴４５と室外機底板４９の壁部４９ａ
のねじ穴８５とを一致させる必要がなく、作業性が向上する。
【００３６】
以上、本発明の実施の形態について説明したが、本発明の具体的な構成は、上記実施形
態に限定されるものでないと考えられるべきである。本発明の範囲は、上記実施形態の説
明だけではなく特許請求の範囲によって示され、さらに特許請求の範囲と均等の意味およ
び範囲内でのすべての変更が含まれる。
【００３７】
上述の実施形態では、仕切板の下端部を所定の固定位置に位置決めするための位置決め
部が、室外機底板の長手方向に沿って設けられた凸部の端部によって構成されているが、
これに限定されない。
【００３８】
上述の実施形態では、室外機の内部に配置された加湿ユニットを備えているが、これに
限られない。したがって、加湿ユニットを備えない室外機であってよい。上述の実施形態
では、仕切板の上端部が室外熱交換器の上端部に固定される場合を説明したが、これに限
定されない。したがって、仕切板の上端部が室外熱交換器以外の部材に固定されてもよい
。
【産業上の利用可能性】
【００３９】
本発明を利用すれば、室外機の組み立て時の作業性が向上する。
【符号の説明】
【００４０】
３０  室外機
３１  圧縮機
３３  室外熱交換器
４３  仕切板
４９  室外機底板
８１  凸部
８２  凸部の端部（位置決め部）
９４  仕切板の下端部のねじ穴（第２固定部）
９５  仕切板の上端部のねじ穴（第１固定部）
【図１】
0005817694.tif 000002
【図２】
0005817694.tif 000003
【図３】
0005817694.tif 000004
【図４】
0005817694.tif 000005
【図５】
0005817694.tif 000006
【図６】
0005817694.tif 000007
【図７】
0005817694.tif 000008
【図８】
0005817694.tif 000009
【図９】
0005817694.tif 000010
【図１０】
0005817694.tif 000011